(57)【要約】【課題】部材点数および材料費を削減し、かつ使用者に与える圧迫感を緩和することが可能な衣類を提供する。【解決手段】衣類の一方を構成する第一構成部材１１と；衣類の他方を構成する第二構成部材１２と：第一構成部材と第二構成部材との間に形成され、身体の一部が導出される開口部１４ａと；開口部における第一構成部材および第二構成部材の両側縁部１１ａ、１２ａを互いに重ね合わせて形成した合わせ部１５と；を具備する衣類を構成する。【選択図】        図１
0003139888.tif 000002
【実用新案登録請求の範囲】
【請求項１】
衣類の一方を構成する第一構成部材と；
衣類の他方を構成する第二構成部材と：
第一構成部材と第二構成部材との間に形成され、身体の一部が導出される開口部と；
開口部における第一構成部材および第二構成部材の両側縁部を互いに重ね合わせて形成した合わせ部と；
を具備することを特徴とする衣類。
【請求項２】
主として衣類の後部を構成する後身頃と；
主として衣類の前部を構成する前身頃と：
後身頃と前身頃の底部に股部を形成すると共に、股部と後身頃および前身頃部との間に形成され、大腿部が導出される開口部と；
開口部における後身頃および前身頃の両側縁部を互いに重ね合わせて形成した合わせ部と；
を具備することを特徴とする衣類。
【請求項３】
前記合わせ部は、両側縁部に形成した突出片を互いに重ね合わせて形成したことを特徴とする請求項１または２記載の衣類。
【請求項４】
前記合わせ部は、上部が縫製され下部が開放されていることを特徴とする請求項１ないし３いずれか一記載の衣類。
【請求項５】
前記合わせ部は、上部が装飾模様をなして縫製されていることを特徴とする請求項１ないし４いずれか一記載の衣類。
【考案の詳細な説明】
【技術分野】
【０００１】
本考案は、例えば、ショーツ、ガードルなど、身体の一部が導出される開口部を有する衣類に関する。
【背景技術】
【０００２】
従来、この種の衣類は、女性の下半身などの体型を補整する機能を有するものが広く用いられているが、補整効果を期待するにしたがって締め付け力が強くなり、特に大腿部が導出される開口部が体表面に食い込み、使用者に圧迫感を与える問題がある。
【０００３】
また、大腿部回りの太さには個人差があり、きつかったり、緩すぎたりすることになり、特にきつかった場合には必要以上の圧迫を感じたり、歩行の妨げにもなり、長時間の着用が困難になる問題も生じる。
【０００４】
この問題は、下半身に用いられるショーツ、ガードル、ボディスーツなどに限らず、足首近辺まで覆われるタイツ、シャツの袖口、さらにはブラジャーにおける胸元、ボディスーツにおける背中回りなどにおいても同様の問題が生じている。
【０００５】
この問題を解消するために、例えば、下記の特許文献１、２、３に示されるように各種の改良がなされている。
【０００６】
特許文献１に示されるものは、裾線部を形成し裾線方向に伸縮性を有する左右のパーツを設け、ヒップの形を整えて引き上げる機能を有し、さらに裾部分の身体への食い込みなどによる段差の発生をなくして着用感を良好にしたものである。
【０００７】
特許文献２には、裾回りの一部を構成し、互いに交差するように重ね合わされたフロント布と前身頃の縁部を、縫製することなく相対的にスライド可能にしたもので、着用時における鼠径部近傍の圧迫憾を緩和することが可能なガードル等の衣類が示されている。
【０００８】
特許文献３には、特許文献２と同様に、身頃の前側に覆い部を配置し、覆い部の下側の縁を足挿入穴の輪郭と連続的に形成することにより、足挿入穴をゆったりさせ足繰りラインによって締め付けられることを防止した下着が示されている。
【特許文献１】特開平９−９５８０５号公報
【特許文献２】実用新案登録第３０８１４１９号公報
【特許文献３】特許第３９２９９１９号公報
【考案の開示】
【考案が解決しようとする課題】
【０００９】
しかしながら、特許文献１に示されるガードル等の衣類は、裾部に伸縮性を有する織物やストレッチレースなどの衣類本体とは別部材のパーツを用いるために部材点数が多くなり、コストアップの要因となる。
【００１０】
また、裾部における圧迫感はある程度解消されるが、別部材のパーツを裾部に縫製するために、裾部全体にわたり段差が生じ、特にタイトスカートや、スリムパンツなど体に密着して着用されるアウターウエアー等の被服にライン状に映り外観を低下させる問題も生じる。
【００１１】
また、特許文献２および３に示された衣類は、前身頃の上にフロント布（覆い部）を重ね合わせて構成するために、別部材でしかも比較的面積の大きなフロント布が必要となり材料費および工賃などからコスト的に不利となる。
【００１２】
このため、この種、ガードル等の衣類においては、部材点数および材料費を削減することが可能な衣類を如何にして実現するかが重要な課題となっている。
【００１３】
本考案は、上述した問題、課題を解決することを目的とし、部材点数および材料費を削減し、かつ使用者に与える圧迫感を緩和することが可能な衣類を提供しようとするものである。
【課題を解決するための手段】
【００１４】
上記目的を達成するために、請求項１に記載の衣類の考案は、衣類の一方を構成する第一構成部材と；衣類の他方を構成する第二構成部材と：第一構成部材と第二構成部材との間に形成され、身体の一部が導出される開口部と；開口部における第一構成部材および第二構成部材の両側縁部を互いに重ね合わせて形成した合わせ部と；を具備することを特徴とする。
【００１５】
本考案によれば、開口部における第一構成部材および第二構成部材の両側縁部を互いに重ね合わせて形成した合わせ部により、身体の一部の大きさや変形に合わせて開口部が自在にスライドして拡開し、開口部が使用者に与える圧迫感を緩和することができる。
【００１６】
また、合わせ部は、第一構成部材および第二構成部材の両側縁部を互いに重ね合わせて形成するので、別部材を設けることなく部材点数および材料費を削減することができる。
【００１７】
本考案において、衣類はショーツ、ガードル、ボディスーツ、水着、レオタードなど、大腿部が導出される開口部を有する衣類、さらには、足首近辺まで覆われるタイツ、半袖、中部袖や長袖等のシャツ、さらにはブラジャーなど、脚、腕、胸部等が導出される開口部を有する衣類など、身体の一部が導出される開口部を有する全ての衣類が許容される。
【００１８】
本考案において、衣類の一方を構成する第一構成部材と、衣類の他方を構成する第二構成部材は、衣類若しくは衣類の一部を構成するもので、例えば、ショーツ、ガードル、ボディスーツ、水着、レオタード等においては、主として衣類の後部を構成する後身頃と主として衣類の前部を構成する前身頃で構成してもよい。足首近辺まで覆われるタイツの場合には、脚の後部を覆う部分と、脚の前部を覆う部分で構成してもよい。また、半袖、中部袖や長袖等のシャツの場合には、腕の後部を覆う部分と前部を覆う部分で構成してもよい。ブラジャーの場合には、胸部における右の乳房を覆う部分と、左の乳房を覆う部分で構成してもよく、要は、身体の一部が導出されるように開口部を形成するための全ての構成部材が許容される。
【００１９】
第一構成部材と第二構成部材は、伸縮性を有する布で構成することが衣類の身体へのフィット感と体型の補整機能を与えるために好ましいが、伸縮性を有することが必要条件ではなく、伸縮性を有しない布で構成してもよい。伸縮性を有する布で構成する場合、左右および上下方向に伸縮性を有していても、左右方向のみ、または、上下方向のみに伸縮性を有するように構成してもよい。また、伸縮力は上方または下方に向かって、若しくは中心から側方に向かって徐々に強くするなど、部位により強弱を与えるように構成してもよい。
【００２０】
第一構成部材と第二構成部材は、それぞれを別体の布で構成し、両側縁部を互いに縫製して形成しても、１枚の布を二つ折りにして構成するなど、１枚の布から一体に構成してもよい。
【００２１】
開口部における第一構成部材および第二構成部材の両側縁部を互いに重ね合わせて形成した合わせ部は、第一構成部材と第二構成部材の両側縁部全体を互いに重ね合わせて形成しても、両側縁部に突出片を形成し、この突出片を互いに重ね合わせて形成してもよい。
【００２２】
合わせ部は、ショーツ、ガードル、ボディスーツ、水着、レオタード、長パンツ、シャツ等においては、両側に一対２個形成することが好ましいが、ブラジャーやボディスーツの背中回り等の場合には、胸元または背中回りに１個形成されるものであってもよい。
【００２３】
合わせ部は、第一構成部材と第二構成部材で構成される衣類の身体へのフィット感と体型の補整機能を増すために、上部が縫製され下部が縫合されずに開放されていることが好ましいが、合わせ部全体を縫合せずに開放した状態に構成してもよい。また、合わせ部は、上部が装飾模様をなすように縫製してもよい。
【００２４】
請求項２に記載の衣類の考案は、主として衣類の後部を構成する後身頃と；主として衣類の前部を構成する前身頃と：後身頃と前身頃の底部に股部を形成すると共に、股部と後身頃および前身頃との間に形成され、大腿部が導出される開口部と；開口部における後身頃および前身頃の両側縁部を互いに重ね合わせて形成した合わせ部と；を具備することを特徴とする。
【００２５】
本考案によれば、開口部における後身頃および前身頃の両側縁部を互いに重ね合わせて形成した合わせ部により、大腿部の太さや変形に合わせて開口部が自在にスライドして拡開し、開口部を有する裾部が使用者に与える圧迫感を緩和することができる。
【００２６】
また、合わせ部は、後身頃および前身頃の両側縁部を互いに重ね合わせて形成するので、別部材を設けることなく部材点数および材料費を削減することができる。
【００２７】
後身頃と前身頃の底部に形成する股部は、後身頃と前身頃と一体に形成しても、別部材を縫製することにより構成してもよい。
【００２８】
さらに、股部はボタン等の着脱手段で開放できるように、若しくは別部材で構成した股部の一部、または全部が着脱手段で着脱できるように構成し、衣類を着たり脱いだりすることを容易にするようにしてもよい。着脱手段はボタンに限らず、着脱テープなど全ての着脱可能な手段が許容される。
【００２９】
開口部は、股部と後身頃および前身頃との間を、衣類本体の正面視で、略Ｖ字形もしくは略Ｕ字形に斜めにカットすることにより、大腿部の開脚方向に向かって開口するように構成してもよい。
【００３０】
さらに略Ｖ字形もしくは略Ｕ字形に斜めにカットすることなく、正面視で矩形状をなす形状に構成し、矩形の底辺に位置する股部と後身頃および前身頃の両側縁部との間を水平方向にカットして脚の軸線方向に向けて開口するように形成してもよい（トランクスタイプ）。
【００３１】
請求項３に記載の考案は、請求項１または２記載の衣類において、前記合わせ部は、両側縁部に形成した突出片を互いに重ね合わせて形成したことを特徴とする。
【００３２】
本考案によれば、合わせ部は、両側縁部に形成した突出片を互いに重ね合わせて形成することにより、開口部から導出される身体の一部の大きさや変形に合わせて開口部が自在にスライドして拡開し、開口部が使用者に与える圧迫感を緩和することができる。
【００３３】
また、合わせ部は、突出片を互いに重ね合わせて形成したことにより、開口部から導出される身体の一部近傍におけるフィット感と体型の補整機能を発揮しつつ、開口部が使用者に与える圧迫感を緩和することができる。
【００３４】
本考案において、突出片は両側縁部から一体に形成しても、別体の布で構成し両側縁部に縫製することにより構成してもよい。突出片を構成する別体の布は、伸縮性を有していても有していない布であってもよい。
【００３５】
請求項４に記載の考案は、請求項１ないし３いずれか一記載の衣類において、前記合わせ部は、上部が縫製され下部が開放されていることを特徴とする。
【００３６】
本考案によれば、合わせ部は、上部が縫製され下部が開放されていることにより、開口部から導出される身体の一部近傍におけるフィット感と体型の補整機能をより一層発揮しつつ、開口部が使用者に与える圧迫感を緩和することができる。
【００３７】
請求項５に記載の考案は、請求項１ないし４いずれか一記載の衣類において、前記合わせ部は、上部が装飾模様をなして縫製されていることを特徴とする。
【００３８】
本考案によれば、合わせ部は、上部が装飾模様をなして縫製されていることにより、外観、意匠的に優れた衣類が構成される。
【００３９】
本考案において、装飾模様は、例えば、縫合ラインをダイヤ形の縫い目模様やハート形の縫い目模様などにすることが好ましいが、特にこの形状、模様に限定されず、外観意匠性を有する全ての形状、模様が許容される。
【考案の効果】
【００４０】
請求項１の考案によれば、身体の一部の大きさや変形に合わせて開口部が自在にスライドして拡開し、開口部が使用者に与える圧迫感を緩和することが可能な衣類を提供することができる。
【００４１】
また、合わせ部は、第一構成部材および第二構成部材の両側縁部を互いに重ね合わせて形成するので、別部材を設けることなく部材点数および材料費を削減することが可能な衣類を提供することができる。
【００４２】
請求項２の考案によれば、大腿部の太さや変形に合わせて開口部が自在にスライドして拡開し、開口部を有する裾部が使用者に与える圧迫感を緩和することが可能な衣類を提供することができる。
【００４３】
また、合わせ部は、後身頃および前身頃の両側縁部を互いに重ね合わせて形成するので、別部材を設けることなく部材点数および材料費を削減することが可能な衣類を提供することができる。
【００４４】
請求項３の考案によれば、合わせ部は、突出片を互いに重ね合わせて形成したことにより、開口部から導出される身体の一部近傍におけるフィット感と体型の補整機能を発揮しつつ、開口部が使用者に与える圧迫感を緩和することが可能な衣類を提供することができる。
【００４５】
請求項４の考案によれば、合わせ部は、上部が縫製され下部が開放されていることにより、開口部から導出される身体の一部近傍におけるフィット感と体型の補整機能をより一層発揮しつつ、開口部が使用者に与える圧迫感を緩和することが可能な衣類を提供することができる。
【００４６】
請求項５の考案によれば、合わせ部は、上部が装飾模様をなして縫製されていることにより、外観、意匠的に優れた衣類を提供することができる。
【考案を実施するための最良の形態】
【００４７】
以下、本考案の衣類の実施形態につき説明する。
【実施例１】
【００４８】
本実施例は、衣類としてのガードルを構成した実施形態であり、その構成を図１〜図３に従い説明する。
【００４９】
１０は、本考案の衣類を構成するガードルで、ガードルの後部を構成する後身頃１１、ガードルの前部を構成する前身頃１２、股部１３、開口部１４ａを有する一対の裾部１４、後身頃１１および前身頃１２と各裾部１４との間に形成した一対の合わせ部１５で構成する。
【００５０】
なお、後身頃１１は、本考案における衣類の一方を構成する第一構成部材を、前身頃１２は、本考案における衣類の他方を構成する第二構成部材をそれぞれ構成している。
【００５１】
後身頃１１は、体の側腹部から臀部を覆うように、主としてガードルの後部を構成するもので、衣類の横方向に伸縮性を有するパワーネット等の伸縮性生地で構成する。
【００５２】
前身頃１２は、側腹部から下腹部を覆うように、主としてガードルの前部を構成するもので、後身頃１１と同様に衣類の横方向に伸縮性を有するパワーネット等の伸縮性生地で構成する。
【００５３】
後身頃１１と前身頃１２は、図２（ａ）展開図、（ｂ）正面図に示すように、１枚の生地を、股部１３となる部分を中心にして二つ折りにし、ガードルの正面視で略矩形状をなす形状に構成し、袋状になった底部の中央部分、すなわち股部１３を残して下方の左右角部を、正面視で略Ｖ字形に斜めにカットする。
【００５４】
これにより、大腿部の開脚方向に向かって開口する一対の開口部１４ａが形成され、両側に一対の裾部１４が構成される。残された底部の中央部分で股部１３が一体に形成される。開口部１４ａは、本考案における身体の一部、すなわち大腿部が導出される開口部を構成している。
【００５５】
後身頃１１と前身頃１２は、略Ｖ字形にカットされ残された後身頃１１の両側縁部１１ａと、前身頃１２の両側縁部１２ａを互いに縫製して両側に一対の縫製部１６を形成して袋状に構成する。
【００５６】
一対の合わせ部１５は、一対の縫製部１６の各下端と、一対の裾部１４の各開口部１４ａの上部開口端との間に形成される。
【００５７】
一対の合わせ部１５は、次のようにして構成される。すなわち、後身頃１１の両側縁部１１ａに形成される各縫製部１６の下方に位置して、後身頃１１の両側縁部１１ａに略水平方向に外方に突出して略三角形状をなす一対の突出片１１ｂを一体に形成する。
【００５８】
前身頃１２にも同様に、突出片１２ｂを形成する。すなわち、前身頃１２の両側縁部１２ａに形成される各縫製部１６の下方に位置して、前身頃１２の両側縁部１２ａに、上記後身頃１１の各突出片１１ｂに対応させて逆向きの略三角形状をなす一対の突出片１２ｂを一体に形成する。
【００５９】
これら、後身頃１１の一対の突出片１１ｂと前身頃１２の一対の突出片１２ｂを着物の合わせのように、互いに重ね合わせ、両側に一対の合わせ部１５を形成する。
【００６０】
重ね合わされた一対の合わせ部１５は、後身頃１１の略三角形状をなす各突出片１１ｂと、前身頃１２の逆向きの略三角形状をなす各突出片１２ｂが、互いにその底辺部が対向して組み合わされ、全体として二つの三角形を合わせた略ダイヤ形に組み合わされる。
【００６１】
略ダイヤ形に組み合わされた各合わせ部１５は、その上部、すなわちダイヤの略上半分が縫製されて両側で一対の縫製部１５ａが形成され、下部が縫合されずに開放された両側で一対の開放部１５ｂが形成される。
【００６２】
各開放部１５ｂは縫合されていないので、重ね合わされた後身頃１１の突出片１１ｂと前身頃１２の突出片１２ｂとが相互に左右にスライドすることができるように構成される。
【００６３】
両側のそれぞれの合わせ部１５は、上部が縫合され、その縫合ラインと重ね合わされた各突出片１１ｂ、１２ｂの略三角形状をなすラインとの連続性により略ダイヤモンド形の装飾模様をなして構成される（図１）。
【００６４】
各合わせ部１５における各突出片１１ｂ、１２ｂの大きさは、生地ロスをできるだけ抑え、かつ、縫製が困難とならないような大きさに設定する。また、各合わせ部１５のそれぞれの開放部１５ｂの高さ寸法ｈ（図２（ｂ））は、開口部１４ａを有する裾部１４が使用者に与える圧迫感を緩和する機能が低下しないように、かつ大腿部側面近傍におけるフィット感と体型の補整機能が保持できるように設定する。
【００６５】
次に、上記に構成されたガードル１０の作用および効果について説明する。
【００６６】
上記構成のガードル１０の各開口部１４ａに両脚を挿入して着用すると、大腿部近傍に裾部１４が位置し、両側の各合わせ部１５が両方の大腿部の外側部近傍からやや前側に位置してフィットする。
【００６７】
各合わせ部１５にはそれぞれ開放部１５ｂが形成されており、大腿部の太さや、運動や座位時における大腿部の変形に合わせて、図３中、実線で示すように、重ね合わされた後身頃１１の突出片１１ｂと前身頃１２の突出片１２ｂが相互に左右にスライドして裾部１４の開口部１４ａが自在に拡開して足回りを広くし、裾部が使用者に与える圧迫感を緩和することができる。同時に、足回りを楽に無理なく補整することができ歩行を妨げることもない。
【００６８】
さらに、後身頃１１および前身頃１２は、ガードルの横方向に伸縮性を有する伸縮性生地で構成したので、身体に十分にフィットして体型の補整機能を発揮することができると共に、両側のそれぞれの合わせ部１５は上部のみが縫製され固定されているので、特に大腿部側面近傍におけるフィット感と体型の補整機能をより一層発揮しつつ、裾部１４が使用者に与える圧迫感を緩和することができる。なお、図３中、一点鎖線は裾部１４の開口部１４ａが拡開する前の各開放部１５ｂの状態を示している。
【００６９】
各合わせ部１５は、上部が縫合され、その縫合ラインと各突出片１１ｂ、１２ｂの略三角形状のラインとの連続性により略ダイヤモンド形の装飾模様をなして構成されているので、外観、意匠的に優れ商品性に優れたガードルを提供することができる。
【００７０】
また、各合わせ部１５は、後身頃１１の突出片１１ｂと前身頃１２の突出片１２ｂを着物の合わせのように、互いに重ね合わせることにより構成したので、互いの突出片が相互に左右にスライドして裾部の開口部１４ａが拡開してもそれぞれの開放部１５ｂから肌が露出することもない。
【００７１】
裾部１４の開口部１４ａには、例えば、フリル等の別部材のパーツを縫製することなく裾部の圧迫感を緩和することができるので、裾部に段差が生じることがない。これにより、アウターウエアー等の被服に裾部がライン状に映ることがなく外観を低下させる問題もない。
【００７２】
また、上記構成のガードル１０は、一対の合わせ部１５を構成する略三角形状をなす突出片１１ｂ、１２ｂを、後身頃１１の両側縁部１１ａおよび前身頃１２の両側縁部１２ａに、それぞれ一体に形成してあるので、特許文献２および３に示すような面積の大きいフロント布（覆い部）などの別部材を設ける必要がなく、部材点数および材料費を削減することができる。
【００７３】
同時に別部材を縫製する必要もなく縫製工程を少なくすることができ、これら、部材点数および材料費の削減と縫製工程を少なくすることによりコスト的に有利な衣類を提供することができる。
【００７４】
また、後身頃１１と前身頃１２は、１枚の生地を二つ折りにして股部１３を構成したので、股部を形成するための格別の部材および縫製工程が不要になりコストダウンと縫製作業の効率化を図ることができる。
【００７５】
以上、本実施例において、両側の合わせ部１５を略ダイヤモンド形の装飾模様をなして構成したが、図４に示すように、ハート形の装飾模様に構成してもよい。
【００７６】
すなわち、図４に示される衣類は、ショーツ１０として構成したもので、上述のガードルと同様に、後身頃１１と前身頃１２により袋状になった底部に股部１３を形成し、大腿部の開脚方向に向かって開口する一対の開口部１４ａを有する一対の裾部１４を形成する。
【００７７】
ハート形の一対の合わせ部１５は、次のようにして形成する。すなわち、後身頃１１の両側縁部１１ａに形成される各縫製部１６の下方に位置して、後身頃１１の両側縁部１１ａに略水平方向に外方に突出してハート形を縦の中心線に沿い分割した片方の形状をなす一対の突出片１１ｂ´を一体に形成する。
【００７８】
前身頃１２にも同様に、前身頃１２の両側縁部１２ａに形成される各縫製部１６の下方に位置して、前身頃１２の両側縁部１２ａに、上記後身頃１１の各突出片１１ｂ´に対応させてハート形の逆向きの他方の形状をなす一対の突出片１２ｂ´を一体に形成する。
【００７９】
これら、後身頃１１の一対の突出片１１ｂ´と前身頃１２の一対の突出片１２ｂ´を着物の合わせのように、互いに重ね合わせ、両側に一対の合わせ部１５を形成する。
【００８０】
重ね合わされた一対の合わせ部１５は、後身頃１１のハート形の片方の形状をなす各突出片１１ｂ´と、前身頃１２のハート形の逆向きの他方の形状をなす各突出片１２ｂ´が、互いにその分割部が対向して組み合わされてハート形をなすように組み合わされる。
【００８１】
ハート形に組み合わされた各合わせ部１５は、その上部であるハートの略上半分が縫製されて両側で一対の縫製部１５ａが形成され、下部が縫合されずに開放された両側で一対の開放部１５ｂが形成される。
【００８２】
各開放部１５ｂは縫合されていないので、重ね合わされた後身頃１１の突出片１１ｂ´と前身頃１２の突出片１２ｂ´とが相互に左右にスライドすることができるように構成される。
【００８３】
両側のそれぞれの合わせ部１５は、上部が縫合され、その縫合ラインと重ね合わされた各突出片１１ｂ´、１２ｂ´がなすラインとの連続性によりハート形の装飾模様をなして構成される。
【００８４】
図４（ｂ）に示すように、ハート形の各突出片１１ｂ´、１２ｂ´は、図４（ａ）の状態から、若干上方（約３〜４ｍｍ程度）に位置させ、ハート形の上中心点ａを若干（約１０ｍｍ程度）外側（図４（ｂ）中右方）に移動させるか、角度をつけることにより、合わせ部の開放端となる縫製部１５ａの下端部ｂに対して、着用時にかかる引っ張り力が軽減されて補強される。また着用時には引っ張られて綺麗なハート形の装飾模様が形成される。
【００８５】
上記構成によりのショーツ１０の各開口部１４ａに両脚を挿入して着用すると、大腿部近傍に裾部１４が位置し、両側の各合わせ部１５が両方の大腿部の前側に位置してフィットし、対となった綺麗なハート形の装飾模様が形成される。
【００８６】
各合わせ部１５は、大腿部の太さや、運動や座位時における大腿部の変形に合わせて、重ね合わされた後身頃１１の突出片１１ｂ´と前身頃１２の突出片１２ｂ´が相互に左右にスライドして裾部１４の開口部１４ａが自在に拡開して足回りを広くし、裾部が使用者に与える圧迫感を緩和することができる。同時に、足回りを楽に無理なく補整することができ歩行を妨げることもない。さらに、後身頃１１および前身頃１２は、ガードルの横方向に伸縮性を有する伸縮性生地で構成したので、身体に十分にフィットして体型の補整機能を発揮することができると共に、両側のそれぞれの合わせ部１５は上部のみが縫製され固定されているので、特に大腿部近傍におけるフィット感と体型の補整機能をより一層発揮しつつ、裾部１４が使用者に与える圧迫感を緩和することができる。
【００８７】
さらに、合わせ部１５、１５は、図５に示すように、格別の突出片を形成せずに後身頃１１の両側縁部１１ａおよび前身頃１２の両側縁部１２ａ自体、全体を互いに重ね合わせて形成してもよい。
【００８８】
また、後身頃１１と前身頃１２は、１枚の生地を二つ折りにして裾部１４および股部１３を構成したが、図４（ａ）に示すように、２枚の生地でそれぞれを構成し、両側縁部及び底部の股部１３を縫製して縫製部１６、１６と底部縫製部１６ａを形成し、一対の裾部１４および股部１３を構成してもよい。
【００８９】
さらに、図６に示すように、ボディスーツを構成してもよい。すなわち、ボディスーツ２０は、腰周り部分２１を上述したショーツ１０と略同様に、後身頃１１と前身頃１２の両側縁部に形成される各縫製部１６の下方に位置して、ハート形の一対の合わせ部１５を形成し、胸部にカップ部２２を設けて構成する。このボディスーツ２０の場合には、着用と脱ぐことを容易にするために、股部２３をボタンなどの着脱手段２４で開放することができるように構成する。
【００９０】
さらに、図７に示すように、足首近辺まで覆われるタイツを構成してもよい。タイツ３０は、両足首を導出する両方の裾部に、上記と同様の合わせ部１５を形成する。すなわち、脚の後部を覆う第一構成部材１１（後身頃に相当）と、脚の前部を覆う第二構成部材１２（前身頃に相当）の両側縁部を縫製して袋状になった底部に開口部１４ａを有する一対の裾部１４を構成する。
【００９１】
この裾部に、上述したダイヤモンド形若しくはハート形の突出片からなる合わせ部１５を形成する。これにより、各合わせ部１５は、足首の太さや、運動や座位時における足首の変形に合わせて、裾部１４の開口部１４ａが自在に拡開して足首回りを広くし、裾部が使用者に与える圧迫感を緩和することができる。同時に、足首回りを楽に無理なく補整することができる。
【００９２】
さらに、図８に示すように、半袖、中部袖や長袖等のシャツを構成してもよい。シャツ４０は、両腕を導出する両方の袖部に、上記と同様の合わせ部１５を形成する。すなわち、腕の後部を覆う第一構成部材１１（後身頃に相当）と、腕の前部を覆う第二構成部材１２（前身頃に相当）の両側縁部を縫製して袋状になった底部に開口部１４ａを有する一対の袖部１４を構成する。
【００９３】
この袖部に、上述したダイヤモンド形若しくはハート形の突出片からなる合わせ部１５を形成する。これにより、各合わせ部１５は、腕の太さや、運動時における腕の変形に合わせて、袖部１４の開口部が自在に拡開して腕回りを広くし、袖部が使用者に与える圧迫感を緩和することができる。同時に、腕回りを楽に無理なく補整することができる。
【００９４】
さらに、図９に示すように、ブラジャーを構成してもよい。ブラジャー５０は、胸部における図中右の乳房を覆う第一構成部材５１と、図中左の乳房を覆う第二構成部材５２を縫製して、胸元部５３を構成する。
【００９５】
この胸元部５３に、上述したダイヤモンド形若しくはハート形の突出片からなる合わせ部１５を形成する。なお、ハート形の場合には、上述した構成とは上下逆方向にしてハート形を形成する。
【００９６】
これにより、各合わせ部１５は、乳房の大きさや、運動時における乳房の変形に合わせて、胸元部５３が自在に拡開して胸元回りを広くし、胸元部が使用者に与える圧迫感を緩和することができる。同時に、胸元部の回りを楽に無理なく補整することができる。
【００９７】
特に、バストの補正機能を有するブラジャーの場合には、胸元部がスライドして拡開することから圧迫感を緩和することができ、好適である。また、授乳時においては、合わせ部１５を手で容易に開くことができるので、ブラジャーを外すことなく、片方の乳房のみを簡単に引き出して授乳することができ、授乳に便利なブラジャーを構成することができる。
【００９８】
さらに、図１０に示すように、ボディスーツの背面側に本考案の合わせ部１５を構成してもよい。すなわち、このボディスーツ６０は、図中右側の右肩帯部分である第一構成部材６１と、図中左側の左肩帯部分である第二構成部材６２をボディ部６３の上部に縫製し、略三角形状をなす第一構成部材６１と第二構成部材６２のそれぞれの下方部分、すなわち、縫製部１６の上方に位置して上述したダイヤモンド形若しくはハート形の突出片からなる合わせ部１５を形成する。
【００９９】
これにより、合わせ部１５は、背中の大きさや、運動時における背中の変形に合わせて、ボディスーツ６０の背中に当たる部分が自在に拡開して背中回りを広くして使用者に与える圧迫感を緩和することができる。同時に、背中回りを楽に無理なく補整することができる。
【０１００】
なお、変形例を示す図４〜図１０には、図１〜図３と同一部分に同一符号を付し、詳細な説明は省略した。
【０１０１】
以上、本考案の好適な実施形態を説明したが、本考案は上述の実施例に限定されることなく、本考案の要旨を逸脱しない範囲内において、種々の設計変更を行うことができる。
【図面の簡単な説明】
【０１０２】
【図１】本考案の実施形態におけるガードルの斜視図。
【図２】同じくガードルを示し、（ａ）は展開図、（ｂ）は正面図。
【図３】同じくガードルを着用し、合わせ部が動作した状態を示す斜視図。
【図４】同じく第一の変形例を示し、（ａ）はショーツの斜視図、（ｂ）は（ａ）における合わせ部を拡大して示す図。
【図５】同じく第２の変形例を示すガードルの側面図。
【図６】同じく第３の変形例を示すボディスーツの斜視図。
【図７】同じく第４の変形例を示すタイツの斜視図。
【図８】同じく第５の変形例を示すシャツの斜視図。
【図９】同じく第６の変形例を示すブラジャーの正面図。
【図１０】同じく第７の変形例を示すボディスーツの背面図。
【符号の説明】
【０１０３】
１０  衣類
１１  第一構成部材
１１ａ  側縁部
１２  第二構成部材
１２ａ  側縁部
１３  股部
１４  裾部
１４ａ  開口部
１５  合わせ部
【図１】
0003139888.tif 000003
【図２】
0003139888.tif 000004
【図３】
0003139888.tif 000005
【図４】
0003139888.tif 000006
【図５】
0003139888.tif 000007
【図６】
0003139888.tif 000008
【図７】
0003139888.tif 000009
【図８】
0003139888.tif 000010
【図９】
0003139888.tif 000011
【図１０】
0003139888.tif 000012